(57)【要約】      （修正有）【課題】透明な薄い樹脂フィルムを用いて安価で軽量にでき、また机の上に立てやすく机から落ち難い、卓上用のパーテーションを提供する。【解決手段】卓上用パーテーション１は、四角形の透明な樹脂フィルム２と、樹脂フィルムの周囲の各辺を内周に固定する四角い枠形状の額縁３と、断面がＬ字形状に形成される縦辺と横辺を備えた長尺形状の二つのＬ字形スタンド４と、二つのＬ字形スタンドの縦辺を背中合わせに配置して樹脂フィルムを固定した額縁の下端を二つのＬ字形スタンドの縦辺で前後に挟み、前後のＬ字形スタンドの縦辺の両端を前後のＬ字形スタンドの間隔が広がらないように固定する二つの固定手段５と、を備えた。【選択図】図１
0003233216.tif 000002
【実用新案登録請求の範囲】
【請求項１】
四角形の透明な樹脂フィルムと、前記樹脂フィルム周囲の各辺を内周に固定する四角い枠形状の額縁と、断面がＬ字形状に形成される縦辺と横辺を備えた長尺形状の二つのＬ字形スタンドと、二つの前記Ｌ字形スタンドの前記縦辺を背中合わせに配置して前記樹脂フィルムを固定した前記額縁の下端を二つの前記Ｌ字形スタンドの前記縦辺で前後に挟み、前後の前記Ｌ字形スタンドの前記縦辺の両端を前後の前記Ｌ字形スタンドの間隔が広がらないように固定する二つの固定手段と、を備え、前記固定手段により前記額縁を挟んで固定した二つの前記Ｌ字形スタンドの前記横辺を卓上に載置することで前記額縁が立った状態に保持されるようにしたことを特徴とする卓上用パーテーション。
【請求項２】
前記固定手段には、バネ性を有するクリップを用い、前後の前記Ｌ字形スタンドの間から前記額縁が抜け出ないように挟み込むようにしたことを特徴とする請求項１に記載の卓上用パーテーション。
【請求項３】
前記樹脂フィルムには、０．２ｍｍ〜１ｍｍの範囲の厚さのフィルムを用いることを特徴とする請求項１または請求項２記載の卓上用パーテーション。
【請求項４】
前記樹脂フィルムは、透明なポリエチレンテレフタレートを用いることを特徴とする請求項１ないし請求項３のいずれか１項に記載の卓上用パーテーション。
【請求項５】
前記樹脂フィルムの大きさは、左右の幅２８０ｍｍ〜４５０ｍｍ、上下の高さ４００ｍｍ〜６００ｍｍの範囲であることを特徴とする請求項１ないし請求項４のいずれか１項に記載の卓上用パーテーション。
【請求項６】
前記額縁は、樹脂又は木材を用いた同一断面形状の長尺部材を分割して上下左右の四辺を形成し、角を結合させて枠形状に形成することを特徴とする請求項１ないし請求項５のいずれか１項に記載の卓上用パーテーション。
【請求項７】
前記額縁の各辺の寸法は、幅１０ｍｍ〜２０ｍｍ、厚さ８ｍｍ〜１５ｍｍの範囲であることを特徴とする請求項１ないし請求項６のいずれか１項に記載の卓上用パーテーション。
【請求項８】
前記Ｌ字形スタンドは、前記縦辺の高さと前記横辺の長さが３０ｍｍ〜９０ｍｍの範囲で、厚さが３ｍｍ〜８ｍｍの範囲の樹脂又は紙部材であることを特徴とする請求項１ないし請求項７のいずれか１項に記載の卓上用パーテーション。
【請求項９】
前記Ｌ字形スタンドの前記縦辺と前記横辺の繋がる角度を９３度〜１１５度の範囲の鈍角に形成したことを特徴とする請求項１ないし請求項８のいずれか１項に記載の卓上用パーテーション。
【考案の詳細な説明】
【技術分野】
【０００１】  本考案は、居酒屋等で飛沫感染を防止するために用いられる卓上用パーテーションに関するものである。
【背景技術】
【００２】  アクリル板等の厚い透明な樹脂ボードの左右両端の下端に三角形のスタンドを取り付けて樹脂ボードが立った状態にする卓上用パーテーションが知られている。
【先行技術文献】
【特許文献】
【０００３】
【特許文献１】実用新案登録第３２２８２１７号  公報
【考案の概要】
【考案が解決しようとする課題】
【０００４】  従来の卓上用パーテーションは樹脂板が立った状態にするために樹脂板自体に強度が必要であり、一般的に３ｍｍ程度以上の厚さが必要なため安価なものではなく、また、重量も軽量とは言えず、また、机の上等の卓上に載置される部分が両端のスタンド部分だけのため、スタンドの幅より机の幅が狭いと置くことができず、また机の幅に余裕が無いと机から落ちやすいという課題があった。このため、パーテーションに透明な薄い樹脂フィルムを用いて安価で、また机の上に立てやすく机から落ち難くして、前述の課題を解決しようとするものである。
【課題を解決するための手段】
【０００５】  本考案は、四角形の透明な樹脂フィルムと、樹脂フィルム周囲の各辺を内周に固定する四角い枠形状の額縁と、断面がＬ字形状に形成される縦辺と横辺を備えた長尺形状の二つのＬ字形スタンドと、二つのＬ字形スタンドの縦辺を背中合わせに配置して樹脂フィルムを固定した額縁の下端を二つのＬ字形スタンドの縦辺で前後に挟み、前後のＬ字形スタンドの縦辺の両端を前後のＬ字形スタンドの間隔が広がらないように固定する二つの固定手段と、を備えたものである。
【考案の効果】
【０００６】  この考案によれば、パーテーションに透明な薄い樹脂フィルムを用いることが出来るので安価にでき、また机の上に立てやすく机から落ち難い卓上用パーテーションが得られる。
【図面の簡単な説明】
【０００７】
【図１】本考案の卓上用パーテーションの斜視図である。
【図２】本考案の透明樹脂フィルムとＬ字状スタンドの斜視図である。
【図３】本考案の透明樹脂フィルムの額縁への取り付けを説明する平面図。
【図４】本考案の図３の額縁上辺のＨ−Ｈ線の拡大断面図である。
【図５】本考案の固定手段で（ａ）は挟持部分を開いた状態の斜視図、（ｂ）はその側面図、（ｃ）は挟持部を閉じた状態の側面図である。
【図６】本考案の卓上用パーテーションで（ａ）図１の下部をＥ方向から見た右側面図。（ｂ）は（ａ）のＬ字状スタンドのみを示す右側面図。
【図７】本考案の他の実施例の額縁上辺の図４に相当する断面図で、（ａ）は樹脂フィルムを額縁に沿わせた状態の断面図、（ｂ）は押さえ部で樹脂フィルムを額縁に固定した状態の断面図である。
【考案を実施するための形態】
【０００８】  居酒屋等でソーシャルディスタンスを確保し飛沫感染を防止するために用いられる卓上用パーテーションを、四角形の透明な樹脂フィルムと、樹脂フィルム周囲の各辺を内周に固定する四角い枠形状の額縁と、断面がＬ字形状に形成される縦辺と横辺を備えた長尺形状の二つのＬ字形スタンドと、二つのＬ字形スタンドの縦辺を背中合わせに配置して樹脂フィルムを固定した額縁の下端を二つのＬ字形スタンドの縦辺で前後に挟み、前後のＬ字形スタンドの縦辺の両端を前後のＬ字形スタンドの間隔が広がらないように固定する二つの固定手段と、を備えるようにして、固定手段により額縁を簡単には抜け出ないように挟んで固定した二つのＬ字形スタンドの横辺を卓上に載置することで額縁が立った状態に保持されるように形成することで、卓上用パーテーションに透明な薄い樹脂フィルムを用いて安価で軽量にでき、また机の上に立てやすく机から落ち難くできる。
【実施例】
【０００９】  以下、添付図面の図１〜図６に従って、一実施例を説明する。図１、図２に示すように、この考案の卓上用パーテーション１は、四角形の透明な樹脂フィルム２と、樹脂フィルム２周囲の各辺を内周に固定する四角い枠形状の額縁３と、断面がＬ字形状に形成される縦辺４ａと横辺４ｂを備えた長尺形状の二つのＬ字形スタンド４と、二つのＬ字形スタンド４の縦辺４ａを背中合わせに配置して樹脂フィルム２を固定した額縁３の下端を二つのＬ字形スタンド４の縦辺４ａで前後に挟み、前後のＬ字形スタンド４の縦辺４ａの両端を前後のＬ字形スタンド４の間隔が広がらないように固定する二つの固定手段５を備えている。そして、固定手段５により額縁３を挟んで簡単には抜け出ないように固定した二つのＬ字形スタンド４の横辺４ｂを卓上に載置することで額縁３が立った状態に保持されるようにして、卓上用パーテーション１を構成している。このように額縁３で透明な樹脂フィルム２の周囲を支えるように構成することで、衝立となる部分に厚手のプラスチック樹脂版（例えば３ｍｍ程度）を使用しなくても、軽量かつ安価なフィルム状の樹脂で衝立を形成でき、また、前後のＬ字形スタンド４はその横辺４ｂの左右全長に渡り机等の卓上に載置されるため、Ｌ字形スタンド４の長手方向の左右の幅より机が狭くても机から落ちることがなく、机から落ち難くできるものが得られる。【００１０】  また、固定手段５には、バネ性を有するクリップを用いて、前後のＬ字形スタンド４の間から額縁３の下端が抜け出ないように挟み込むようにすると、簡単かつ安価にできる。図５に示すように、固定手段（クリップ）５は、バネ性を有する板金の押え部５ａの両側に押え部５ａを広げるための取手５ｂを備えた市販の事務用品のクリップのような構成でよく、取手５ｂを手の指で狭めることで閉じていた押え部５ａの先端が図５（ａ）、図５（ｂ）のように開き、指を離せば閉じるため、図１や図６（ａ）に示すように簡単かつ容易にはＬ字形スタンド４の縦辺４ａの間から額縁３の下端が外れないように固定することができる。【００１１】  また、図４のＴ１寸法は樹脂フィルム２の厚さを示している。樹脂フィルム２は周囲を額縁３に固定されて支えられるため薄くでき、樹脂フィルム２には、０．２ｍｍ〜１ｍｍの範囲の厚さのフィルムを用いることが可能で、軽量かつ安価に卓上用パーテーション１を形成できる。樹脂フィルム２の材料には、透明なポリエチレンテレフタレートを用いるとよく、安価で粘り気と腰のある材料のため額縁３に取り付けやすく、また、透明度が高くて前方がはっきりと見えやすいため卓上用パーテーション１に適している。また、樹脂フィルム２の大きさは、図３のＦ寸法に示す左右の幅を２８０ｍｍ〜４５０ｍｍ、図３のＧ寸法に示す上下の高さを４００ｍｍ〜６００ｍｍの範囲にするとよく、卓上で飛沫を防止するのに適した大きさの卓上用パーテーション１が得られる。【００１２】  また、この実施例では図４のＷ３に示すように額縁３の内周に設けた溝に樹脂フィルム２の周囲を挟み込むようにすることで、樹脂フィルム２を固定している。なおＷ３の溝の深さは４ｍｍ程度以上有るとよい。また、図３に示すように額縁３をプラスチックの樹脂により、押���成形等で安価に形成できる同一断面形状の長尺部材を分割して上下左右の四辺である上辺３ａ、下辺３ｂ、左辺３ｃ及び右辺３ｄを形成し、プラスチックの樹脂フィルム２の四辺をそれぞれ溝に挟み込んで額縁３の四つの角を接着や鎹形状の金属等で結合させて枠形状に形成することで、安価に額縁３を形成している。また、額縁３の各辺３ａ〜３ｄは、図４のＷ２に示す幅を１０ｍｍ〜２０ｍｍ、図４のＷ１に示す厚さを８ｍｍ〜１５ｍｍの範囲程度にすると軽量かつ安価に額縁３を形成できる。【００１３】  また、図２、図６（ｂ）に示すように、Ｌ字形スタンド４は、縦辺４ａの高さＬ１寸法と横辺４ｂの長さＬ２寸法を３０ｍｍ〜９０ｍｍの範囲にすることで、額縁３の下端をしっかりと挟め、また卓上に載置される横辺４ｂのＬ２寸法側の幅が倒れない十分な幅にすることができる。また、Ｔ２寸法及びＴ３寸法に示す縦辺４ａと横辺４ｂの厚さが３ｍｍ〜８ｍｍの範囲のプラスチックの樹脂材料によりＬ字形スタンド４を形成するとよく、比較的に軽量で安価にＬ字形スタンド４を形成できる。また、上記の実施例ではＬ字形スタンド４の縦辺４ａと横辺４ｂの繋がる角度をほぼ直角に形成したものを示したが、９３度〜１１５度の範囲の鈍角に形成してもよく、横辺４ｂの長手方向の縁が載置される面に接しやすくＬ字形スタンド４がグラつき難いものが得られる。【００１４】  上記の実施例では樹脂フィルム２周囲の額縁３の内周への固定を額縁３の内周に形成した溝にはめ込むものを示したが、図７（ａ）に示すように樹脂フィルム２を額縁３に沿わせた状態に載せて、手の指で折り曲げ可能な程度の金属片の押さえ片３ｆを、樹脂フィルム２が外れない程度の間隔で額縁３の周囲に複数設け、図７（ｂ）に示すように押さえ片３ｆで樹脂フィルム２を額縁３に固定してもよく、樹脂フィルム２を取り付けやすく、樹脂フィルム２の交換も容易にできる。また、上記実施例では額縁３を樹脂部材で形成したものを示したが、木材で形成してもよく、若干割高にはなるが、金属に比べれば安価に形成できる。また、上記の実施例ではＬ字形スタンド４を樹脂で形成したものを示したが、強度のあるボール紙等の紙材料でＬ字形スタンド４を安価に形成してもよい。【００１５】  上記の実施例ではＬ字形スタンド４を額縁３の左右の幅より広く形成して額縁３の横で固定手段５によりＬ字形スタンド４を上方から挟み込むものを示したが、Ｌ字形スタンド４の横幅の一方又は両方を額縁３の幅と同程度の幅にして、固定手段５をスタンド４の縦辺４ａを横方から挟み込むようにして額縁３を前後の縦辺４ａ間で押えてもよい。また、上記実施例では二つのＬ字形スタンド４を同じ形状で安価に形成できるものを示したが、価格が若干上がると思われるが、機能に影響のない範囲で異なる形状にしてもよい。また、固定手段５にクリップを使用して安価で簡単に固定できるものを示したが、Ｌ字形スタンド４の縦辺４ａ同士の固定に工具が必要で組み立て工数も若干増えるがボルトとネジで前後に締結してもよい。その他、本考案の範囲で各構成を適宜変更してもよい。
【符号の説明】
【００１６】１  卓上用パーテーション
２  樹脂フィルム
３  額縁
４  Ｌ字形スタンド
４ａ  縦辺
４ｂ  横辺
５  固定手段
【図１】
0003233216.tif 000003
【図２】
0003233216.tif 000004
【図３】
0003233216.tif 000005
【図４】
0003233216.tif 000006
【図５】
0003233216.tif 000007
【図６】
0003233216.tif 000008
【図７】
0003233216.tif 000009